(57)【特許請求の範囲】
【請求項１】
既知信号部分を含む一連のシンボルを受信する受信部と、
前記受信部により受信される一連のシンボルと、該既知信号と同一波形の保持信号と、の相関を演算する相関演算部と、
前記相関演算部の演算結果に基づき、所望信号電力を取得する所望信号電力取得部と、
前記各シンボルの受信電力と、前記所望信号電力取得部により取得される所望信号電力と、の相違量を示す背景ノイズ電力を取得する背景ノイズ電力取得部と、
前記背景ノイズ電力取得部により取得される背景ノイズ電力に応じて、ガードインターバルの長さを決定するガードインターバル長決定部と、
前記ガードインターバル長決定部により決定されたガードインターバル長でシンボル送信するよう、送信装置に指示するガードインターバル長指示部と、
を含むことを特徴とするＯＦＤＭ通信装置。
【請求項２】
請求の範囲第１項に記載のＯＦＤＭ通信装置において、
前記相関演算部の演算結果に基づき、シンボル遅延量を取得するシンボル遅延量取得部と、
前記所望信号電力取得部により取得される所望信号電力と、前記シンボル遅延量取得部により取得されるシンボル遅延量と、に基づき、あるシンボルが後続のシンボルに対する干渉波となる場合の干渉波電力であるシンボル遅延干渉波電力を取得するシンボル遅延干渉波電力取得部と、
をさらに含み、
前記ガードインターバル長決定部は、前記背景ノイズ電力取得部により取得される背景ノイズ電力と、前記シンボル遅延干渉波電力取得部により取得されるシンボル遅延干渉波電力と、に応じて、ガードインターバルの長さを決定する、
ことを特徴とするＯＦＤＭ通信装置。
【請求項３】
請求の範囲第２項に記載のＯＦＤＭ通信装置において、
前記ガードインターバル長決定部は、前記背景ノイズ電力取得部により取得される背景ノイズ電力に基づき、ＳＩＮＲが所定値となるために必要なシンボル遅延干渉波電力を算出する必要シンボル遅延干渉波電力算出部、を含み、
前記ガードインターバル長決定部は、前記必要シンボル遅延干渉波電力算出部により算出される必要シンボル遅延干渉波電力と、前記シンボル遅延干渉波電力取得部により取得されるシンボル遅延干渉波電力と、に基づき、ガードインターバルの長さを決定する、
ことを特徴とするＯＦＤＭ通信装置。
【請求項４】
既知信号部分を含む一連のシンボルを受信する受信ステップと、
前記受信ステップにおいて受信される一連のシンボルと、該既知信号と同一波形の保持信号と、の相関を演算する相関演算ステップと、
前記相関演算の演算結果に基づき、シンボル遅延量を取得するシンボル遅延量取得ステップと、
前記相関演算の演算結果に基づき、所望信号電力を取得する所望信号電力取得ステップと、
前記所望信号電力取得ステップにおいて取得される所望信号電力と、前記シンボル遅延量取得ステップにより取得されるシンボル遅延量と、に基づき、あるシンボルが後続のシンボルに対する干渉波となる場合の干渉波電力であるシンボル遅延干渉波電力を取得するシンボル遅延干渉波電力取得ステップと、
前記各シンボルの受信電力と、前記所望信号電力取得ステップにおいて取得される所望信号電力と、の相違量を示す背景ノイズ電力を取得する背景ノイズ電力取得ステップと、
前記背景ノイズ電力取得ステップにおいて取得される背景ノイズ電力と、前記シンボル遅延干渉波電力取得ステップにおいて取得されるシンボル遅延干渉波電力と、に応じて、ガードインターバルの長さを決定するガードインターバル長決定ステップと、
前記ガードインターバル長決定ステップにおいて決定されたガードインターバル長でシンボル送信するよう、送信装置に指示するガードインターバル長指示ステップと、
を含むことを特徴とするガードインターバル長決定方法。
【発明の詳細な説明】
【技術分野】
【０００１】
本発明はＯＦＤＭ通信装置及びガードインターバル長決定方法に関する。
【背景技術】
【０００２】
ＯＦＤＭ（直交波周波数分割多重：Orthogonal Frequency Division Multiplexing）では、あるシンボルが遅延すると、後続のシンボルに対する干渉波となり、後続のシンボルのＳＩＮＲ(信号対干渉及び雑音比：Signal to Interference and Noise Ratio)が低下する。これを防止するため、シンボルの先頭にはガードインターバル（ＧＩ：Guard Interval）が設けられる。【０００３】
特許文献１には、ガードインターバル長を、シンボル遅延の量に応じて制御する技術が記載されている。ガードインターバルが長いほどＳＩＮＲは上昇するが、通信レートが下がってしまうため、この技術では、両者のバランスを取り、必要最低限のＳＩＮＲが得られるようにガードインターバル長を決定している。【０００４】
また、特許文献２には、ハンドオーバ時などに生ずる、同一のサブキャリアを複数の送信装置から送信する場面において、各送信装置からそれぞれ送信されるシンボル間の干渉を低減することに関する技術が開示されている。また、特許文献３には、ＯＦＤＭにおける周波数使用効率の改善に関する技術が開示されている。
【特許文献１】特開２００２−３７４２２３号公報
【特許文献２】特開２００５−３０３８２６号公報
【特許文献３】特開２００５−２５２８８６号公報
【発明の開示】
【発明が解決しようとする課題】
【０００５】
しかしながら、ＳＩＮＲは、シンボル遅延による干渉波（以下では、シンボル遅延干渉波と称する。）以外の干渉波や雑音（以下では、これらを背景ノイズと総称する。）によっても影響される。このような背景ノイズがある場合、上記特許文献１に記載の技術によっても、必要最低限のＳＩＮＲが得られない場合がある。【０００６】
すなわち、ＳＩＮＲは、「所望信号電力」を「干渉波電力及び雑音電力」により除算することにより求められるが、「干渉波電力及び雑音電力」には、「シンボル遅延干渉波電力」と「背景ノイズ電力」の両方が含まれる。このため、シンボル遅延の量に応じてガードインターバルの長さを制御しても、必要最低限のＳＩＮＲが得られない場合があるのである。【０００７】
従って、本発明の課題の一つは、背景ノイズがある場合にも、必要最低限のＳＩＮＲが得られるようガードインターバルの長さを制御することができるＯＦＤＭ通信装置及びガードインターバル長決定方法を提供することにある。
【課題を解決するための手段】
【０００８】
上記課題を解決するための本発明にかかるＯＦＤＭ通信装置は、既知信号部分を含む一連のシンボルを受信する受信部と、前記受信部により受信される一連のシンボルと、該既知信号と同一波形の保持信号と、の相関を演算する相関演算部と、前記相関演算部の演算結果に基づき、所望信号電力を取得する所望信号電力取得部と、前記各シンボルの受信電力と、前記所望信号電力取得部により取得される所望信号電力と、の相違量を示す背景ノイズ電力を取得する背景ノイズ電力取得部と、前記背景ノイズ電力取得部により取得される背景ノイズ電力に応じて、ガードインターバルの長さを決定するガードインターバル長決定部と、前記ガードインターバル長決定部により決定されたガードインターバル長でシンボル送信するよう、送信装置に指示するガードインターバル長指示部と、を含むことを特徴とする。【０００９】
これによれば、背景ノイズ電力に応じてガードインターバル長を決定することができるので、上記ＯＦＤＭ通信装置は、背景ノイズがある場合にも、必要最低限のＳＩＮＲが得られるようガードインターバルの長さを制御することができる。【００１０】
また、上記ＯＦＤＭ通信装置において、前記相関演算部の演算結果に基づき、シンボル遅延量を取得するシンボル遅延量取得部と、前記所望信号電力取得部により取得される所望信号電力と、前記シンボル遅延量取得部により取得されるシンボル遅延量と、に基づき、あるシンボルが後続のシンボルに対する干渉波となる場合の干渉波電力であるシンボル遅延干渉波電力を取得するシンボル遅延干渉波電力取得部と、をさらに含み、前記ガードインターバル長決定部は、前記背景ノイズ電力取得部により取得される背景ノイズ電力と、前記シンボル遅延干渉波電力取得部により取得されるシンボル遅延干渉波電力と、に応じて、ガードインターバルの長さを決定する、こととしてもよい。【００１１】
これによれば、背景ノイズ電力とシンボル遅延干渉波電力の両方に応じてガードインターバル長を決定することができるので、上記ＯＦＤＭ通信装置は、背景ノイズがある場合にも、より好適に、必要最低限のＳＩＮＲが得られるようガードインターバルの長さを制御することができる。【００１２】
さらに、上記ＯＦＤＭ通信装置において、前記ガードインターバル長決定部は、前記背景ノイズ電力取得部により取得される背景ノイズ電力に基づき、ＳＩＮＲが所定値となるために必要なシンボル遅延干渉波電力を算出する必要シンボル遅延干渉波電力算出部、を含み、前記ガードインターバル長決定部は、前記必要シンボル遅延干渉波電力算出部により算出される必要シンボル遅延干渉波電力と、前記シンボル遅延干渉波電力取得部により取得されるシンボル遅延干渉波電力と、に基づき、ガードインターバルの長さを決定する、こととしてもよい。【００１３】
これによれば、背景ノイズを考慮しつつ、ＳＩＮＲが所定値となるようガードインターバル長を決定することができる。【００１４】
また、本発明にかかるガードインターバル長決定方法は、既知信号部分を含む一連のシンボルを受信する受信ステップと、前記受信ステップにおいて受信される一連のシンボルと、該既知信号と同一波形の保持信号と、の相関を演算する相関演算ステップと、前記相関演算の演算結果に基づき、シンボル遅延量を取得するシンボル遅延量取得ステップと、前記相関演算の演算結果に基づき、所望信号電力を取得する所望信号電力取得ステップと、前記所望信号電力取得ステップにおいて取得される所望信号電力と、前記シンボル遅延量取得ステップにより取得されるシンボル遅延量と、に基づき、あるシンボルが後続のシンボルに対する干渉波となる場合の干渉波電力であるシンボル遅延干渉波電力を取得するシンボル遅延干渉波電力取得ステップと、前記各シンボルの受信電力と、前記所望信号電力取得ステップにおいて取得される所望信号電力と、の相違量を示す背景ノイズ電力を取得する背景ノイズ電力取得ステップと、前記背景ノイズ電力取得ステップにおいて取得される背景ノイズ電力と、前記シンボル遅延干渉波電力取得ステップにおいて取得されるシンボル遅延干渉波電力と、に応じて、ガードインターバルの長さを決定するガードインターバル長決定ステップと、前記ガードインターバル長決定ステップにおいて決定されたガードインターバル長でシンボル送信するよう、送信装置に指示するガードインターバル長指示ステップと、を含むことを特徴とする。
【図面の簡単な説明】
【００１５】
【図１】本発明の実施の形態に係るＯＦＤＭ通信装置のシステム構成及び機能ブロックを示す図である。
【図２】本発明の実施の形態に係る無線信号を説明するための説明図である。
【図３】本発明の実施の形態に係るシンボルを説明するための説明図である。
【図４】本発明の実施の形態に係るＯＦＤＭ通信装置の処理フローを示す図である。
【図５】本発明の実施の形態に係るＧＩ長と、背景ノイズ電力及びシンボル遅延干渉波電力との関係を示す図である。
【発明を実施するための最良の形態】
【００１６】
本発明の実施の形態について、図面を参照しながら説明する。【００１７】
図１は、本実施の形態に係るＯＦＤＭ通信装置１０のシステム構成及び機能ブロックを示す図である。同図に示すように、ＯＦＤＭ通信装置１０は、機能的に、ＲＦ(Radio Frequency)／ＩＦ(Inter-frequency)／ＢＢ(Base Band)部１１、ＧＩ削除部１２、ＦＦＴ(Fast Fourier Transform)部１３、相関演算部１４、既知信号保持部１５、復調／復号部１６、受信データ取得部１７、シンボル遅延量取得部１８、所望信号電力取得部１９、シンボル遅延干渉波電力取得部２０、受信電力取得部２１、背景ノイズ電力取得部２２、ＧＩ長決定・指示部２３、送信データ取得部２５、物理層フレーム生成部２６、符号化／変調部２７、ＧＩ長指示取得部２８、ＩＦＦＴ(Inverse Fast Fourier Transform)部２９、ＧＩ付加部３０、を含んで構成される。また、ＧＩ長決定・指示部２３は、その内部に、必要シンボル遅延干渉波電力算出部２４を含んで構成される。【００１８】
ＯＦＤＭ通信装置１０は、移動体通信システムの移動局装置や基地局装置として使用される通信装置であり、ＯＦＤＭによる通信を行う。なお、ＯＦＤＭ通信装置１０の通信相手も、ＯＦＤＭ通信装置１０と同様の通信装置である。以下では、ＯＦＤＭ通信装置１０が有する上記各機能部の機能について、具体的に説明する。【００１９】
ＲＦ／ＩＦ／ＢＢ部１１は、通信相手が送信した無線信号を、スーパーへテロダイン方式により受信し、ＧＩ削除部１２へ出力する。【００２０】
ここで、ＯＦＤＭにおいて使用される無線信号について説明する。【００２１】
図２は、ＯＦＤＭにおいて使用される無線信号を説明するための説明図である。同図では、縦軸が周波数軸、横軸が時間軸である。各長方形は、無線信号の送信単位を示している。送信単位の時間長は、タイムスロット長に等しい。【００２２】
ＯＦＤＭでは、シンボル（１回の変調で得られる１又は複数ビットのデータを示す信号点）列が、ＧＩ長に応じた数の一連のシンボル（以下、単位シンボル列と称する。）ごとに複素平面にマッピングされ、Ｄ／Ａ変換された後、逆高速フーリエ変換が施される。その結果、上記シンボル列は、単位シンボル列ごとに、多数のサブキャリアに分散する。上記送信単位は、こうして分散した単位シンボル列により構成される。【００２３】
図３は、上記単位シンボル列の内容を詳細に示したものである。同図に示すように、各単位シンボル列は複数のシンボルを含んでなり、各シンボルはＧＩとデータ部とを含んで構成される。より具体的には、データ部には、シンボルを示す所定時間長のアナログ信号が含まれる。ＧＩは、データ部を構成するアナログ信号の一部（通常は、データ部の末尾からＧＩ長分のアナログ信号）を含んで構成されてもよいし、有意な信号を含まないものとしてもよい。【００２４】
ＧＩ削除部１２は、ＲＦ／ＩＦ／ＢＢ部１１より入力される無線信号からＧＩを削除し、ＦＦＴ部１３に出力する。【００２５】
ＦＦＴ部１３は、ＧＩ削除部１２から入力された無線信号に高速フーリエ変換を施す。その結果、ＦＦＴ部１３は、上記送信単位ごとに、逆高速フーリエ変換を施す前の単位シンボル列を取得し、相関演算部１４に出力する。ただし、ここで得られる単位シンボル列には、干渉成分や雑音成分が含まれる。【００２６】
ここで、上記単位シンボル列には、既知信号部分（ユニークワードとも呼ばれる。）が含まれる。また、既知信号保持部１５は、この既知信号部分と同一波形の信号を保持している。相関演算部１４は、ＦＦＴ部１３から入力された単位シンボル列と、既知信号保持部１５により保持される上記既知信号と同一波形の保持信号と、の相関を演算する。この処理により、相関演算部１４は、相関値が最大となった部分を、単位シンボル列に含まれる既知信号部分であると判定する。そして、判定結果と、単位シンボル列と、を復調／復号部１６に出力する。【００２７】
復調／復号部１６は、入力された判定結果に基づいて単位シンボル列に含まれる既知信号部分の復調タイミングを取得する。そして、こうして取得した復調タイミングに応じて、単位シンボル列を、該単位シンボル列の変調に用いられた変調方式により、復調する。復調／復号部１６は、復調の結果得られるビット列を、さらに所定の符号化方式により復号し、受信データ取得部１７に出力する。受信データ取得部１７は、復調／復号部１６から入力されたビット列に基づき、受信データを取得する。【００２８】
シンボル遅延量取得部１８は、相関演算部１４の演算結果に基づき、シンボル遅延量を取得する。すなわち、上記既知信号部分の受信タイミングと、本来受信されるべきタイミングと、のずれを、シンボル遅延量として取得する。【００２９】
一般に、マルチパスなどの影響により上記単位シンボル列は時間的に分散し、同じものがいくつか受信される。上記既知信号部分の受信タイミングも、複数のタイミングに分散する。シンボル遅延量取得部１８は、分散受信された複数の単位シンボル列それぞれについて、その遅延の度合いを、シンボル遅延量として取得する。【００３０】
所望信号電力取得部１９は、相関演算部１４の演算結果に基づき、分散受信された複数の単位シンボル列それぞれについて、所望信号電力を取得する。【００３１】
シンボル遅延干渉波電力取得部２０は、所望信号電力取得部１９により取得される所望信号電力と、シンボル遅延量取得部１８により取得されるシンボル遅延量と、に基づき、あるシンボルが後続のシンボルに対する干渉波となる場合の干渉波電力であるシンボル遅延干渉波電力（Ｉ１とする。）を取得する。具体的には、シンボル遅延干渉波電力取得部２０は、シンボル遅延量がＧＩ長を超えている単位シンボル列の所望信号電力を合計することにより、シンボル遅延干渉波電力Ｉ１を取得する。【００３２】
受信電力取得部２１は、ＦＦＴ部１３により取得された単位シンボル列の受信電力を取得する。【００３３】
背景ノイズ電力取得部２２は、受信電力取得部２１により取得される受信電力と、所望信号電力取得部１９により取得される所望信号電力と、の相違量を示す背景ノイズ電力（Ｉ２＋Ｎとする。）を取得する。この背景ノイズ電力Ｉ２＋Ｎは、受信電力から所望信号電力を減算することによって算出してもよいし、背景ノイズがドップラー効果により生ずる周波数変動によるもののみであるとみなせる場合には、以下のようにして算出することも可能である。【００３４】
すなわち、所定時間内（例えば、後述するＧＩ長決定・指示部２３によるＧＩ長の更新周期内）の振幅と位相の変動から、背景ノイズ電力Ｉ２が算出される。具体的には、受信された単位シンボル列を構成する各シンボルの信号点と、理想的な信号点と、の差を示す誤差ベクトルの絶対値の二乗の総和が背景ノイズ電力Ｉ２となる。これを式で示すと、式（１）のようになる。ただし、ｍはシンボル番号、Ｍは上記所定時間内に含まれるシンボルの数、kはサブキャリア番号、Kはサブキャリア数であるとする。また、Ｖmkはシンボル番号ｍ、サブキャリア番号kにおける信号ベクトル、Ｖmkrはシンボル番号ｍ、サブキャリア番号kにおける理想信号ベクトル、をそれぞれ示している。【００３５】
【数１】
0004763785.tif 000002
【００３６】
なお、式（１）はシンボル数Ｍ、サブキャリア数Ｋの全てに含まれる背景ノイズ成分の総和を示している。この値を用いて他の電力との比較や計算を行う場合、対象となるシンボル遅延干渉波電力Ｉ１、背景ノイズ電力Ｉ２＋Ｎ、必要シンボル遅延干渉波電力Ｉ１ＭＡＸ（後述）なども、同様にシンボル数Ｍ、サブキャリア数Ｋの全てに含まれる各成分の総和とする。【００３７】
ＧＩ長決定・指示部２３は、背景ノイズ電力取得部２２により取得される背景ノイズ電力Ｉ２＋Ｎと、シンボル遅延干渉波電力取得部２０により取得されるシンボル遅延干渉波電力Ｉ１と、に応じて、ＧＩ長を決定する。【００３８】
具体的には、必要シンボル遅延干渉波電力算出部２４は、背景ノイズ電力取得部２２により取得される背景ノイズ電力Ｉ２＋Ｎに基づき、ＳＩＮＲが所定値（通信を成立させるために最低限必要なＳＩＮＲ）となるために必要なシンボル遅延干渉波電力Ｉ１ＭＡＸを算出する。ＧＩ長決定・指示部２３は、こうして算出される必要シンボル遅延干渉波電力Ｉ１ＭＡＸと、シンボル遅延干渉波電力取得部２０により取得されるシンボル遅延干渉波電力Ｉ１と、に基づき、ＧＩ長を決定する。より具体的には、シンボル遅延干渉波電力取得部２０により取得されるシンボル遅延干渉波電力が必要シンボル遅延干渉波電力Ｉ１ＭＡＸとなるよう、ＧＩ長を決定する。【００３９】
ＧＩ長決定・指示部２３は、上述のようにしてＧＩ長を決定すると、該ＧＩ長でシンボル送信するよう、通信相手に指示する。具体的には、指示するＧＩ長を示すＧＩ長指示情報を生成し、物理層フレーム生成部２６に出力する。これにより、ＧＩ長指示情報が通信相手に送信される。以下、この詳細について言及しつつ、ＯＦＤＭ通信装置１０によるシンボルの送信について記載する。【００４０】
送信データ取得部２５は送信データを構成するビット列を取得する。物理層フレーム生成部２６は、送信データ取得部２５により取得されたビット列に物理層ヘッダを付加し、符号化／変調部２７に出力する。このとき物理層フレーム生成部２６は、ＧＩ長決定・指示部２３から入力されるＧＩ長指示情報を物理層ヘッダに含める。【００４１】
符号化／変調部２７は、物理層フレーム生成部２６から入力された物理層ヘッダ付加後の送信データを所定の符号化方式により符号化し、符号化データを取得する。さらに、符号化／変調部２７は、符号化データを所与の変調方式により変調してシンボル列を生成し、ＩＦＦＴ部２９に出力する。なお、符号化／変調部２７が符号化データの変調に使用する変調方式は、適応変調方式により、無線状態（受信状態）に応じて適宜変更されるものとすることが好適である。【００４２】
ＧＩ長指示取得部２８は、当該ＯＦＤＭ通信装置１０と同様の処理により通信相手から送信されたＧＩ長指示情報を、受信データ取得部１７により取得された受信データから取得する。【００４３】
ＩＦＦＴ部２９は、ＧＩ長指示取得部２８により取得されたＧＩ長指示情報に基づき、単位シンボル列に含めるべきシンボル数を決定する。この決定においては、ＧＩ長が長いほど、シンボル数が少なくなる。そして、ＩＦＦＴ部２９は、符号化／変調部２７から入力されたシンボル列を単位シンボル列に区切って複素平面にマッピングし、Ｄ／Ａ変換した後、逆高速フーリエ変換を実行する。その結果、単位シンボル列ごとに、多数のサブキャリアに分散する。ＩＦＦＴ部２９は、こうして得た信号をＧＩ付加部３０に出力する。【００４４】
ＧＩ付加部３０は、単位シンボル列を構成する各シンボルの先頭に、ＧＩ長指示取得部２８により取得されたＧＩ長指示情報に基づく長さのＧＩを付加した上で、ＲＦ／ＩＦ／ＢＢ部１１に出力する。【００４５】
ＲＦ／ＩＦ／ＢＢ部１１は、スーパーへテロダイン方式により、ＧＩ付加部３０から入力される信号を無線送信する。【００４６】
以上説明した処理について、ＯＦＤＭ通信装置１０の処理フローを参照しながら、再度より詳細に説明する。【００４７】
図４は、ＯＦＤＭ通信装置１０の処理フローを示す図である。同図に示すように、ＯＦＤＭ通信装置１０は、まず通信の成立に必要な最低限のＳＩＮＲを取得する。以下では、このＳＩＮＲをＳＩＮＲ１とする（Ｓ１）。【００４８】
ＯＦＤＭ通信装置１０は、信号を受信する（Ｓ２）と、上述のようにして、所望信号受信電力Ｓ（Ｓ３）、シンボル遅延干渉波電力Ｉ１（Ｓ４）、背景ノイズ電力Ｉ２＋Ｎ（Ｓ５）を算出する。これらを算出したら、ＯＦＤＭ通信装置１０は、通信が成立しうるＩ１の最大値Ｉ１ＭＡＸを算出する。換言すれば、背景ノイズ電力Ｉ２＋Ｎがある場合に、許容できるＩ１の最大値Ｉ１ＭＡＸを算出する。具体的には、以下の式（２）により算出する（Ｓ６）。【００４９】
Ｉ１ＭＡＸ＝Ｓ／ＳＩＮＲ１−（Ｉ２＋Ｎ）  ・・・（２）【００５０】
ＯＦＤＭ通信装置１０は、Ｓ２で算出したＩ１と、Ｓ６で算出したＩ１ＭＡＸと、を比較し、その結果に応じて異なる処理を行う（Ｓ７）。Ｉ１がＩ１ＭＡＸより小さい場合には、Ｉ１がもっと大きくなるようにしても通信が成立するということを意味するので、Ｉ１をより大きくするべく、Ｉ１とＩ１ＭＡＸの差に応じ、ＧＩ長を縮める方向で、ＧＩ長制御量を決定する（Ｓ８）。Ｉ１がＩ１ＭＡＸと等しい場合には、現在のＩ１を維持すべく、ＧＩ長制御量を０と決定する（Ｓ９）。Ｉ１がＩ１ＭＡＸより大きい場合には、このままでは通信が成立しないということを意味するので、Ｉ１をより小さくするべく、Ｉ１とＩ１ＭＡＸの差に応じ、ＧＩ長を伸ばす方向で、ＧＩ長制御量を決定する（Ｓ１０）。【００５１】
ＯＦＤＭ通信装置１０は、以上のようにして決定したＧＩ長制御量と、現在のＧＩ長と、に基づき、ＧＩ長を決定する（Ｓ１１）。【００５２】
図５は、以上のようにして決定されるＧＩ長と、背景ノイズ電力Ｉ２＋Ｎ及びシンボル遅延干渉波電力Ｉ１との関係を示す図である。同図に示すように、背景ノイズ電力Ｉ２＋Ｎが大きいほど、シンボル遅延干渉波電力Ｉ１が小さくとも、ＧＩ長は伸張の方向で制御されることとなる。逆に、背景ノイズ電力Ｉ２＋Ｎが小さいと、シンボル遅延干渉波電力Ｉ１がより大きくとも、ＧＩ長は短縮の方向で制御されることとなる。【００５３】
最後に、ＯＦＤＭ通信装置１０は、通信相手にＧＩ長指示情報を送信することにより、ＧＩ長を通知する（Ｓ１２）。これを受信した通信相手は、以降、ＧＩ長指示情報により示されるＧＩ長の単位シンボル列を送信するようになる。【００５４】
以上説明したように、ＯＦＤＭ通信装置１０によれば、背景ノイズ電力とシンボル遅延干渉波電力の両方に応じてＧＩ長を決定することができる。これにより、ＯＦＤＭ通信装置１０は、背景ノイズがある場合にも、必要最低限のＳＩＮＲが得られるようＧＩ長を制御することができるようになる。
【図１】
0004763785.tif 000003
【図２】
0004763785.tif 000004
【図３】
0004763785.tif 000005
【図４】
0004763785.tif 000006
【図５】
0004763785.tif 000007